(57)【要約】【課題】充電池および情報処理装置において、小型化および軽量化を図る。【解決手段】充電池１の枠体１０内には、充填剤２０にその少なくとも一部を覆われたソフト電池パック３０が収容されている。ソフト電池パック３０は、他の電気機器と接続されるためのコネクタ３０Ａを備えている。コネクタ３０Ａとソフト電池パック３０本体とは配線で接続され、当該配線が切り込み１５を通って枠体１０の外部に延びていることによって、コネクタ３０Ａは、枠体１０の外部に位置している。【選択図】図１
2013120715.tif 000002
【特許請求の範囲】
【請求項１】
ソフト電池パックと、
前記ソフト電池パックをその外面の少なくとも一部を露呈させるように覆う枠体と、
前記枠体と前記ソフト電池パックの間の空間に充填される充填部材とを備える、充電池。
【請求項２】
前記枠体と前記充填部材は、絶縁性材料からなる、請求項１に記載の充電池。
【請求項３】
前記枠体は、他の部材に係合されるための係合部を含む、請求項１または請求項２に記載の充電池。
【請求項４】
ソフト電池パックと、
前記ソフト電池パックの少なくとも側面に固定される、固定部材とを備える、充電池。
【請求項５】
前記固定部材は、前記ソフト電池パックを収容する枠体に充填された後、硬化することにより、前記ソフト電池パックが前記枠体からを取り出された後、前記ソフト電池パックの少なくとも側面に固定される、請求項４に記載の充電池。
【請求項６】
前記固定部材は、熱または光によって硬化する樹脂からなる、請求項４または請求項５に記載の充電池。
【請求項７】
前記固定部材は、外部の部材に係合されるための係合部を含む、請求項４〜請求項６のいずれかに記載の充電池。
【請求項８】
請求項１〜請求項７のいずれかに記載の充電池を備える、情報処理装置。
【発明の詳細な説明】
【技術分野】
【０００１】
本発明は、充電池および情報処理装置に関し、特に、ソフト電池パックを含む充電池および情報処理装置に関する。
【背景技術】
【０００２】
従来から、セルと保護回路等を熱収縮チューブで固定されてなるソフト電池パックを含む充電池が、多くの情報処理装置に利用されている。ソフト電池パックは、それ自体が柔らかく、落下や踏み付けがあった場合には非常に変形し易い。落下や踏み付けなどによる衝撃を受けた場合、ソフト電池パックにおいて電極のショート等による発火や発熱が生じる事態が想定される。このような事態を回避するため、通常、ソフト電池パックは、端末内で、両面テープ等によって固定されている。
【０００３】
この点について、特許文献１（特開２００５−２４３６４３号公報）には、このようなソフト電池パックをケースに入れて、充電池として端末に搭載するための技術が開示されている。
【先行技術文献】
【特許文献】
【０００４】
【特許文献１】特開２００５−２４３６４３号公報
【発明の概要】
【発明が解決しようとする課題】
【０００５】
しかしながら、特許文献１に開示された技術によれば、充電池において電池パックがケースに入れられていることにより、充電池は、その外形が大きくなり、また、重くなる。したがって、このような充電池を搭載される情報処理装置の大型化や重量化を招くことが懸念される。
【０００６】
一方、ソフト電池パックを両面テープ等により端末に固定する場合、昨今の端末の多機能化により消費電力の上昇から、ますます電池パック自体の大型化が予測されるため、今後は、このような方法での端末への固定が困難になることが予測される。
【０００７】
本発明は、かかる実情に鑑み考え出されたものであり、その目的は、小型でありかつ軽量な充電池および情報処理装置を提供することである。
【課題を解決するための手段】
【０００８】
本発明の或る局面に従った充電池は、ソフト電池パックと、ソフト電池パックの外縁を覆う枠体と、枠体とソフト電池パックの間の空間に充填される充填部材とを備える。
【０００９】
好ましくは、枠体と充填部材は、絶縁性材料からなる。
好ましくは、枠体は、他の部材に係合されるための係合部を含む。
【００１０】
本発明の他の局面に従った充電池は、ソフト電池パックと、ソフト電池パックの少なくとも側面に固定される、固定部材とを備える。
【００１１】
好ましくは、固定部材は、ソフト電池パックを収容する枠体に充填された後、硬化することにより、ソフト電池パックが枠体からを取り出された後、ソフト電池パックの少なくとも側面に固定される。
【００１２】
好ましくは、固定部材は、熱または光によって硬化する樹脂からなる。
好ましくは、固定部材は、外部の部材に係合されるための係合部を含む。
【００１３】
本発明に従った情報処理装置は、上記した充電池のいずれかを備える。
【発明の効果】
【００１４】
本発明によれば、充電池は、ソフト電池パックと、その外面の少なくとも一部を露呈させるように覆う枠体と、当該枠体に充填された充填部材とを備える。
【００１５】
また、本発明によれば、充電池は、ソフト電池パックと、その少なくとも側面に固定される固定部材とによって、構成される。
【００１６】
これにより、電池パックをケースに収納する必要がなく、充電池の外形の小型化および軽量化を図ることができる。
【図面の簡単な説明】
【００１７】
【図１】本実施の形態の充電池の外観の一例を示す図である。
【図２】図１の充電池の縦断面図である。
【図３】ソフト電池パックの内部構造を模式的に示す図である。
【図４】ソフト電池パックの外観の一例を示す図である。
【図５】枠体の外観の一例を示す図である。
【図６】充電池の製造方法を説明するための図である。
【図７】充電池を取り付けられた情報処理装置の内部構造の一例を模式的に示す図である。
【図８】充電池の変形例の外観を示す図である。
【図９】充電池の他の変形例の外観を示す図である。
【図１０】充電池のさらに他の変形例の外観を示す図である。
【発明を実施するための形態】
【００１８】
以下、本発明の照明装置の実施の形態について、図面を参照して説明する。なお、以下の説明において、同一の機能および作用を有する要素については、同じ符号を付し、重複する説明を繰返さない。
【００１９】
図１は、本実施の形態の充電池の外観の一例を示す図である。また、図２は、図１の充電池の縦断面図である。
【００２０】
図１および図２を参照して、充電池１は、枠体１０と、当該枠体１０の内側に充填され硬化した充填剤２０とを含む。充填剤２０は、絶縁性の材料によって構成される。そして、充填剤２０は、たとえば接着剤のように、充填された後、硬化することにより、ソフト電池パック３０の少なくとも一面を覆うように固定されることが好ましい。ただし、硬化した後の、つまり、完成した充電池１における充填剤２０について、要求される硬度はさほど高くなく、ソフト電池パック３０を落下等の衝撃から守ることができれば、充填剤２０は或る程度の可塑性を有していてもよい。
【００２１】
枠体１０は、特に図２から理解されるように、ソフト電池パック３０の側面のみを覆い、その上面および下面は覆わないように構成されている。
【００２２】
枠体１０には、充電池１を他の部材に固定するための係合部１１，１２が設けられている。係合部１１，１２は、その強度の観点から、厚みが２ｍｍ程度とされることが好ましい。また、枠体１０の側面には、切り込み１５が形成されている。
【００２３】
枠体１０の素材としては、たとえばＡＢＳ樹脂（アクリロニトリル、ブタジエン、スチレン共重合合成樹脂）が挙げられるが、絶縁性を有していれば、これに限定されない。また、充電池１は充填剤２０によってある程度の強度を有することができるため、枠体１０は、強度を必要とされず、これにより、厚みが１ｍｍにも満たない薄いシート状の材料によって構成されても良い。
【００２４】
特に図２から理解されるように、枠体１０内には、充填剤２０にその少なくとも一部を覆われたソフト電池パック３０が収容されている。ソフト電池パック３０は、他の電気機器と接続されるためのコネクタ３０Ａを備えている。コネクタ３０Ａとソフト電池パック３０本体とは配線で接続され、当該配線が切り込み１５を通って枠体１０の外部に延びていることによって、コネクタ３０Ａは、枠体１０の外部に位置している。
【００２５】
図３は、ソフト電池パック３０の内部構造を模式的に示す図である。また、図４は、ソフト電池パック３０の外観の一例を示す図である。
【００２６】
図３を参照して、ソフト電池パック３０は、その外郭をソフトケースに覆われている。図３では、当該ソフトケースの図示は省略されている。そして、ソフト電池パック３０の当該ソフトケース内には、シート状の正極３１と負極３２とが、セパレータ３３を挟んで重ねられて巻かれている。なお、ソフト電池パック３０では、正極３１と負極３２の絶縁を図るため、図示しないさらなるセパレータが設けられている場合も有り得る。正極３１は、たとえばアルミ箔からなり、負極３２は、たとえば銅箔からなるが、各電極の材質はこれらに限定されない。また、正極３１と負極３２には、それぞれコネクタ３０Ａと接続するための端子３１Ａ，３２Ａが取り付けられている。
【００２７】
正極３１、負極３２およびセパレータ３３は、図３に示されるような巻きつけられた状態で、電解液等とともに、上記したソフトケース内に収容される。これにより、ソフト電池パック３０は、図４に示されるような外観を有する。
【００２８】
ソフト電池パック３０は、たとえばリチウムポリマー電池として実現される。このような電池パックは、アルミ缶のようなケースに収容されることなく情報処理装置に搭載できることから、一般的には、タブレット端末や電子書籍装置などの、比較的サイズが大きな端末に採用されている。
【００２９】
図５および図６は、充電池１の製造方法を説明するための図である。以下、これらの図を参照して、充電池１の製造方法の一例を説明する。
【００３０】
まず、図５に示されるような枠体１０を、作業台上に配置する。そして、図６に示されるように、当該枠体１０内に、ソフト電池パック３０を配置する。このとき、ソフト電池パック３０は、コネクタ３０Ａが当該枠体１０外にするように、配置される。
【００３１】
そして、枠体１０とソフト電池パック３０の間の空間に、充填剤２０が充填され、そして、充填剤２０が硬化されることにより、充電池１が完成する。
【００３２】
なお、充填剤２０の充填および硬化の方法は、充填剤２０として使用される素材によって決定される。たとえば、充填剤２０として、いわゆるホットメルト接着剤が採用された場合には、当該接着剤が溶解する温度までの加熱とその後の冷却とが必要とされる。
【００３３】
図７は、本実施の形態の充電池１を取り付けられた情報処理装置の内部構造の一例を模式的に示す図である。なお、図７（Ａ）は、情報処理装置の正面の内部構造を示し、図７（Ｂ）は、その側面の内部構造を示す。
【００３４】
図７を参照して、携帯電話機１００のケース１０１の内部には、当該携帯電話機１００を制御するための部材が実装された基板を含む制御基板１０２と、充電池１とが収容されている。充電池１は、その係合部１１，１２をねじ止めされることにより、制御基板１０２に固定されている。なお、情報処理装置の基板側に係合部が設けられているような場合など、充電池側には、図８において充電池１Ａとして示されるように、係合部が形成されない場合も有り得る。
【００３５】
図９は、充電池１の他の変形例の外観を示す図である。
図９を参照して、充電池１Ｂは、その外郭を、充填剤２０Ａに覆われている。充填剤２０Ａの材質は、充填剤２０と同様とすることができる。
【００３６】
充電池１Ｂは、たとえば、図５に示された枠体１０の形状の製品のための金型が準備され、当該金型にソフト電池パック３０が収容された後、当該金型に充填剤２０Ａが充填され、そして、充填剤２０Ａが硬化されることによって、製造される。
【００３７】
図９では、充電池１Ｂにおいて、充填剤２０Ａがソフト電池パック３０の全面を覆うように構成されているが、ソフト電池パック３０を外部の衝撃等から守ることができれば、充填剤２０Ａは少なくともソフト電池パック３０の外面の一部を覆っていれば良い。
【００３８】
なお、充電池１Ｂには、充電池１に係合部１１，１２が設けられるのと同様に、係合部２１，２２が設けられている。
【００３９】
充電池１Ｂのように充填剤によってソフト電池パック３０を固定し枠体を備えない充電池において、図８を参照して説明した充電池１Ａと同様に、係合部が形成されていなくても良い。このような例を、図１０に示す。
【００４０】
図１０に示された充電池１Ｃは、充電池１Ｂと同様に、その外郭を充填剤２０Ａに覆われている。なお、充電池１Ｃには、充電池１Ｂにおいて形成されていた係合部は形成されていない。
【００４１】
以上説明した本実施の形態およびその変形例の充電池は、ソフト電池パックを含む。そして、充電池では、ソフト電池パックの外面の少なくとも一部を充填剤や枠体によってソフト電池パックの強度を増し、ソフト電池パックを外部からの衝撃等から守っている。また、ソフト電池パックの外形は、図４に示されたように、立方体ではないことが多いが、充填剤や枠体に固定されることにより、ケースに収納されることなく、その外形を、図１等に示されるように立方体に近いものとすることができる。
【００４２】
また、充電池においてソフト電池パック３０が充填剤で固定されることによって、形状の異なるソフト電池パック３０ごとにその形状に応じたケースを準備する必要がない。これにより、充電池の製造コストを抑えることができる。
【００４３】
今回開示された各実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４４】
１，１Ａ，１Ｂ，１Ｃ  充電池、１０  枠体、１１，１２，２１，２２  係合部、２０，２０Ａ  充填剤、３０  ソフト電池パック、３０Ａ  コネクタ、３１  正極、３２  負極、３３  セパレータ、１００  携帯電話機、１０１  ケース、１０２  制御基板。
【図１】
2013120715.tif 000003
【図２】
2013120715.tif 000004
【図３】
2013120715.tif 000005
【図４】
2013120715.tif 000006
【図５】
2013120715.tif 000007
【図６】
2013120715.tif 000008
【図７】
2013120715.tif 000009
【図８】
2013120715.tif 000010
【図９】
2013120715.tif 000011
【図１０】
2013120715.tif 000012